(57)【要約】【課題】  従来の離床及び離席報知装置では、異常を検知した後、アラーム音又はアナウンスを発生すると同時にナースコールを駆動してしまうので、要介護者の近隣にいる介護者がアラーム音に気づいて駆けつけたときには、中枢のナースコールシステムが作動してしまった後ということになってしまう。またアナウンスにより、要介護者が離床又は離席を思いとどまったとしても、ナースコールが既に駆動されてしまった後であるので、中枢のナースコールシステムが作動してしまい、介護者が駆けつけなければなら状態となってしまう。【解決手段】  報知の過程を細分化し、かつ各々の報知手段が作動するまでの時間を独立して設定可能とすることにより、離床及び離席報知装置の使い勝手の向上とともに、要介護者や養護施設の特性に合致した性能を発揮できるようにした。【選択図】図８
2007014725.tif 000002
【特許請求の範囲】
【請求項１】
ベッドや車椅子等に付加される人体を検知する手段と、就寝又は着席時と離床又は離席時に応じて設定可能なスイッチを有し、該スイッチの設定が就寝又は着席設定時にあるときは、前記人体検知手段が人体の付加をなしと判定したときを起点Ｔ０として、Ｔ１秒後に作動する第１の報知手段と、前記Ｔ１秒から更にＴ２秒後に作動する第２の報知手段と、前記Ｔ２秒から更にＴ３秒後に作動する第３の報知手段とのごとく、複数の縦続した報知手段を構成し、前記スイッチが離床又は離席設定時にあるときは、前記人体検知手段が人体の付加をありと判定したときを起点Ｔ０として、Ｔ１秒後に作動する第１の報知手段と、前記Ｔ１秒から更にＴ２秒後に作動する第２の報知手段と、前記Ｔ２秒から更にＴ３秒後に作動する第３の報知手段とのごとく、複数の縦続した報知手段を構成してなる離床及び離席報知装置。
【発明の詳細な説明】
【技術分野】
【０００１】  本発明は、要介護者のベッドや車椅子での状態を報知する装置に関する。
【背景技術】
【０００２】  従来この種の報知装置は、ベッドや車椅子の体重が付加される部分に感圧センサーや静電センサー等を設置し、体重の付加が解除されると同時又は一定時間後に、アラーム音又はアナウンスを発生するとともにナースコールを駆動することが可能な機能を有している。（例えば、非特許文献１参照。）。【０００３】  体重の付加が解除されてから一定時間後に、アラーム音又はアナウンスを発生するとともにナースコールを駆動することを可能とした理由は、寝返りや座る位置を修正する度ごとに、不要な報知の発生を防ぐための処置である。【０００４】
【非特許文献１】  「２００５年版総合カタログ」、株式会社エクセルエンジニアリング、Ｈ１６．１０
【発明の開示】
【発明が解決しようとする課題】
【０００５】  以上に記した従来の離床及び離席報知装置では、アラーム音又はアナウンスを発生すると同時にナースコールを駆動してしまうので、要介護者の近隣にいる介護者がアラーム音に気づいて駆けつけたときには、中枢のナースコールシステムが作動してしまった後ということになってしまう。【０００６】  またアナウンスにより、要介護者が離床又は離席を思いとどまったとしても、ナースコールが既に駆動されてしまった後であるので、中枢のナースコールシステムが作動してしまい、介護者が駆けつけなければなら状態となってしまう。【０００７】  本発明は、このような従来の離床及び離席報知装置が有していた問題を解決しようとするものであり、中枢のナースコールシステムが作動してしまう以前に、要介護者の離床又は離席及び就寝又は着席を察知して、適切な処置が実行可能な離床及び離席報知装置の実現を目的とするものである。
【課題を解決するための手段】
【０００８】  本発明は、上記目的を達成するために、ベッドや車椅子等に付加される人体を検知する手段と、就寝又は着席時と離床又は離席時に応じて設定可能なスイッチを有し、該スイッチの設定が就寝又は着席設定時にあるときは、前記人体検知手段が人体の付加をなしと判定したときを起点Ｔ０として、Ｔ１秒後に作動する第１の報知手段と、前記Ｔ１秒から更にＴ２秒後に作動する第２の報知手段と、前記Ｔ２秒から更にＴ３秒後に作動する第３の報知手段とのごとく、複数の縦続した報知手段を構成し、前記スイッチが離床又は離席設定時にあるときは、前記人体検知手段が人体の付加をありと判定したときを起点Ｔ０として、Ｔ１秒後に作動する第１の報知手段と、前記Ｔ１秒から更にＴ２秒後に作動する第２の報知手段と、前記Ｔ２秒から更にＴ３秒後に作動する第３の報知手段とのごとく、複数の縦続した報知手段を構成、具備したものである。【０００９】  上記課題解決手段による作用は次のとおりである。すなわち、前記スイッチ（以後モードスイッチと記す）が就寝又は着席設定時にあるとき、要介護者が就寝又は着席中で、前記人体検知手段が人体の付加がありと判断したときは、すべての報知手段は作動しない。【００１０】  これに反して、要介護者が就寝又は着席中に不規則に離床又は離席し、前記人体検知手段が人体の付加がなしと判断したときは、起点Ｔ０からＴ１秒後に第１の報知手段、例えば第１の発光ダイオードが点滅を開始する。また該第１の発光ダイオードの近傍には、離床時は（モード）スイッチをＯＦＦにしてください、との表示が施してある。【００１１】  この状態を放置して更にＴ２秒経過すると、第２の報知手段、例えばアラーム音や就寝や着席又はスイッチの設定変更を促すアナウンスがスピーカーより報知されるようになっている。【００１２】  上記状態を放置して更にＴ３秒経過すると、第３の報知手段、例えばナースコールをＴ４秒間、駆動可能に構成されている。【００１３】  またＴ４秒間経過後は、自動的に初期状態にリセットされ、起点Ｔ０からの動作と同一の動作を繰り返し実行するよう構成されている。【００１４】  ナースコール駆動時間、Ｔ４秒は任意の時間に設定可能となっており、その理由は既存の殆どのナースコールシステムが、ナースコールボタンを一瞬押すと、それをラッチしてナースコールシステムでリセットしない限り、ナースコールシステムのアラーム動作が解除されないようになっているからで、前記Ｔ４秒が長すぎるとＴ４秒が経過するまでナースコールシステムをリセットできず、ナースコールシステムのアラーム動作が解除されないからであって、この場合はＴ４を大略０．５秒程度に設定するのが好ましい。【００１５】  一方、旧式のナースコールシステムの場合、ナースコールボタンを押している間だけしかナースコールシステムのアラームが動作しないよう構成されているので、ナースコール駆動時間、Ｔ４を０．５秒に設定したのでは余りにもナースコールシステムのアラーム持続時間が短く、この場合はＴ４を２０秒程度に設定するのが好ましい。【００１６】  上記説明において、第１の報知手段が作動するまでの時間Ｔ１、第２の報知手段が作動するまでの時間Ｔ２及び第３の報知手段が作動するまでの時間Ｔ３は各々独立して増減可能となっており、要介護者及び養護施設の特性に合致させることができる。【００１７】  次に前記モードスイッチが離床又は離席設定時にあるとき、要介護者が起床又は離席中で、前記人体検知手段が人体の付加がなしと判断したときは、すべての報知手段は作動しない。【００１８】  上記状態から要介護者がベッドまたは車椅子に就寝又は着席し、前記人体検知手段が、人体の付加がありと判断したときは、起点Ｔ０からＴ１秒後に第１の報知手段、例えば第２の発光ダイオードが点滅を開始する。また該第２の発光ダイオードの近傍には、着床時は（モード）スイッチをＯＮにしてください、との表示が施してある。【００１９】  この状態を放置して更にＴ２秒経過すると、第２の報知手段、例えばアラーム音や起床又はスイッチの設定変更を促す、アナウンスがスピーカーより報知されるようになっている。【００２０】  上記状態を放置して更にＴ３秒経過すると、第３の報知手段、例えばナースコールをＴ４秒間、駆動可能に構成されている。【００２１】  またＴ４秒間経過後は、自動的に初期状態にリセットされ、起点Ｔ０からの動作と同一の動作を繰り返し実行するよう構成されている。【００２２】  ナースコール駆動時間、Ｔ４秒は任意の時間に設定可能となっており、その理由は既存の殆どのナースコールシステムがナースコールボタンを一瞬押すと、それをラッチしてナースコールシステムでリセットしない限り、ナースコールシステムのアラーム動作が解除されないようになっているからで、前記Ｔ４秒が長すぎるとＴ４秒が経過するまでナースコールシステムをリセットできず、ナースコールシステムのアラーム動作が解除されないからで、この場合はＴ４を大略０．５秒程度に設定するのが好ましい。【００２３】  一方、旧式のナースコールシステムの場合、ナースコールボタンを押している間だけしかナースコールシステムのアラームが動作しないよう構成されているので、ナースコール駆動時間、Ｔ４を０．５秒に設定したのでは余りにもナースコールシステムのアラーム持続時間が短く、この場合はＴ４を２０秒程度に設定するのが好ましい。【００２４】  上記説明において、第１の報知手段が作動するまでの時間Ｔ１、第２の報知手段が作動するまでの時間Ｔ２及び第３の報知手段が作動するまでの時間Ｔ３は各々独立して増減可能となっており、要介護者及び養護施設の特性に合致させることができる。【００２５】  就寝又は着席を報知する必要性は、離床又は離席してしまったときよりも少ないが、老人に多い、胃の噴門機能低下による逆流性食道炎のように、食事後一定時間横臥することを禁じられている要介護者等には有効である。【００２６】  また本発明による離床及び離席報知装置は、就寝又は着席時と離床又は離席時にかかわらず、いずれの状態においても報知手段が作動する条件が解除されたときは、シーケンスがリセットされ、直ちに待機状態となるように構成されている。【００２７】  以上説明したとおり、第１の報知手段は光の点滅により、介護者に就寝又は着席時と離床又は離席時に応じたモードスイッチの設定を促し、第２の報知手段は音声により、要介護者の不規則行動の抑制アナウンスや、近隣にいる介護者に異常��報知し、それでも必要な処置が得られなかったときに初めて、中枢のナースコールシステムを駆動するように構成されている。【００２８】  報知の過程を細分化し、かつ各々の報知手段が作動するまでの時間を独立して設定可能とすることにより、離床及び離席報知装置の使い勝手の向上とともに、要介護者や養護施設の特性に合致した性能を発揮できるようになっている。
【発明の効果】
【００２９】  本発明による離床及び離席報知装置は、上記したごとく報知の過程を細分化し、徐々に報知の範囲を拡大するように構成されているので、離床及び離席報知装置の取り扱いに不慣れな介護者にも的確な運用、取り扱いが可能である。【００３０】  また、中枢のナースコールシステムが駆動される前の段階で、音声による要介護者の不規則行動の抑制アナウンスや、近隣にいる介護者に異常を報知する機能を有するので、中枢のナースコールシステムが作動する回数を減少させることができ、介護者の負担を軽減させることが可能である。【００３１】  加えて、各々の報知手段が作動するまでの時間を独立して設定可能としているので、要介護者や養護施設の特性に合致した性能を個別に得ることができ、介護の効率性を向上させることが可能である。
【発明を実施するための最良の形態】
【００３２】  以下、本発明の実施の形態を図１〜図７に基づいて説明する。【００３３】  図１において、１ａは本発明の一実施形態を示す離床及び離席報知装置本体（以後装置本体と記す）の電気的結線図で、２ａは本発明の一実施形態を示す人体検出器の電気的結線図である。【００３４】  装置本体の電気回路は、ＭＰＵ、３を中心に構成され、Ａ１〜Ａ４までのアナログ入力端子には、各々両端が＋Ｂとグランドに接続された半固定ボリュームＲ１、Ｒ２、Ｒ３及びＲ４の摺導端子が接続され、任意の分割電圧が独立して印加可能となっている。【００３５】  Ａ１〜Ａ４までのアナログ入力端子の電圧は、各々第１の報知手段が作動するまでの時間Ｔ１、第２の報知手段が作動するまでの時間Ｔ２、第３の報知手段が作動するまでの時間Ｔ３及びナースコール駆動時間Ｔ４に対応しており、各々半固定ボリュームＲ１、Ｒ２、Ｒ３及びＲ４の摺導端子の位置により、独立して任意の時間を設定することが可能となっている。【００３６】  アナログ入力端子Ａ５には、プルアップ抵抗Ｒ５が接続されるとともに、コネクタＪ３を介し人体検出器２ａの出力が印加されており、人体検出器２ａに体重の付加があるときは、内蔵のタクトスイッチＴＳが押されて導通し、アナログ入力端子Ａ５の入力電圧はゼロとなり、Ｌレベルとなる。【００３７】  また、人体検出器２ａに体重の付加がないときは、内蔵のタクトスイッチＴＳは開放され、アナログ入力端子Ａ５の入力電圧は内蔵電池ＶＢの起電圧＋Ｂと等しくなり、Ｈレベルとなる。【００３８】  人体検出手段は、人体検出器２ａの出力レベルがＬかＨかを分別し、Ｌのときは人体の付加がありと判断し、Ｈのときは人体の付加がなしと判断するようにプログラムされている。【００３９】  このように、人体検出器２ａの出力レベルがＬかＨかというデジタル的なときには、必ずしもアナログ入力端子を使用する必要はないが、タクトスイッチＴＳの代わりに、加重により電気抵抗値が変化する加重導電シートのごときものを使用したときや、人体による静電容量の変化を検出する方式の人体検出器２ａの出力レベルはＬかＨかではなく、連続したアナログ量となるので、アナログ入力端子を使用し、閾値を設定する必要が生じる。【００４０】  また、このアナログ量を半固定ボリュームを介して前記アナログ入力端子Ａ５に印加すれば、半固定ボリュームの設定位置により、本装置を使用する要介護者の体質に最適な閾値を可変、設定することが可能となる。【００４１】  アナログ入力端子Ａ６には、ＯＮ側接点がＨレベルの＋Ｂ、ＯＦＦ側接点がＬレベルのグランドに接続されたモードスイッチＳ１のコモン端子が接続され、アナログ入力端子Ａ６の入力レベルがＨレベルか、Ｌレベルか分別することにより、ＯＮ側が就寝又は着席時、ＯＦＦ側が離床又は離席時の設定と判断するようにプログラムされている。【００４２】  アナログ入力端子Ａ７には、両端が＋Ｂとグランドに接続され、センター端子には抵抗Ｒ６及びＲ７で＋Ｂ電圧を分圧した電圧が印加された、１回路３接点のスライドスイッチ（以後アラームスイッチと記す）Ｓ２のコモン端子が接続されている。【００４３】  アナログ入力端子Ａ７の入力レベルを分別することにより例えば、＋Ｂのときが設定１、＋Ｂの半分の値のときが設定２、グランドレベルのときが設定３のごとく判断するようにプログラムされている。【００４４】  このアラームスイッチＳ２はアラーム音選択用で、設定１ではピッピッ、設定２ではピュルピュル、設定３では就寝を促すアナウンスが出力端子Ｂ３に接続されたスピーカＳＰより発音可能となっており、異なるアラーム音を発生することにより、呼び出し者の特定や、就寝を促すアナウンスにより、離床を思いとどませることができるようになっている。【００４５】  出力端子Ｂ１は、前記モードスイッチＳ１がＯＦＦ側の離床又は離席ポジションにあるときに、就寝又は着席したとき、モードスイッチＳ１をＯＮ側の就寝又は着席ポジションに移動するよう促すための、発光ダイオードＤ１駆動用端子で、視認性を良くするため、０．２５秒間隔の間欠出力を抵抗Ｒ８を介し発光ダイオードＤ１に供給している。【００４６】  出力端子Ｂ２は、前記モードスイッチＳ１がＯＮ側の就寝又は着席ポジションにあるときに、離床又は離席したとき、モードスイッチＳ１をＯＦＦ側の離床又は離席ポジションに移動するよう促すための、発光ダイオードＤ２駆動用端子で、視認性を良くするため、０．２５秒間隔の間欠出力を抵抗Ｒ９を介し発光ダイオードＤ２に供給している。【００４７】  出力端子Ｂ４は、ナースコール駆動用の出力端子で、ＦＥＴ、Ｑ１のゲートに接続され、該ＦＥＴ、Ｑ１のソースはグランドに、ドレインはコネクタＪ１およびＪ２の１番端子に接続されている。【００４８】  コネクタＪ１およびＪ２は、同一形状の４端子コネクタで、各端子は互いに並列に接続され、端子配列は、１番、２番間が呼び出しボタン用で、３番、４番間がマイク用端子となっている。したがって前記ＦＥＴ、Ｑ１が導通すると、呼び出しボタンを押したときと等価な回路を形成し、ナースコールを駆動することが可能となる。【００４９】  コネクタＪ１はコネクタ付き接続ケーブルを介し、壁面に設置された既存のナースコールコネクタに接続可能で、コネクタＪ２は、現用の押しボタンスイッチとマイクの内蔵されたハンドセットと接続可能となっており、従来の機能を損なうことなく利用できるよう考慮されている。【００５０】  図２は、前記モードスイッチＳ１がＯＦＦ側の離床又は離席ポジション時で、アナログ入力端子Ａ６がＬレベルのときの動作を示すタイムチャートである。【００５１】  体重検出器２ａが体重を検知して、アナログ入力端子Ａ５がＨレベルからＬレベルになった瞬間を起点Ｔ０とし、Ｔ１秒後に０．２５秒間隔の間欠出力を出力端子Ｂ１に発生させ、図１及び図６に示す第１の発光ダイオードＤ１を点滅させ、前記モードスイッチＳ１をＯＮ側の就寝又は着席ポジションに移動するよう促す。【００５２】  前記Ｔ１秒から更にＴ２秒経過すると、周波数２ＫＨＺ、通電間隔０．２５秒の間欠出力を出力端子Ｂ３に発生させ、該出力端子Ｂ３に接続されたスピーカＳＰよりピッピッというアラーム音を発生させる。【００５３】  前記Ｔ２秒から更にＴ３秒経過すると、出力端子Ｂ４にＴ４秒間、Ｈレベル出力を発生させ、後続のＦＥＴ、Ｑ１を導通させることにより、ナースコールシステムを駆動するに至る。【００５４】  前記Ｔ４秒経過と��時に、ＭＰＵ、３の内部でリセットパルスＲＳＴが生じるようになっており、自動的に上記シーケンスはリセットされ、起点Ｔ０からの動作と同一の動作を繰る返し実行する。【００５５】  また、アナログ入力端子Ａ５がＬレベルからＨレベルに反転し、報知手段が作動する条件が解除されたときは、直ちに起点Ｔ０以前の状態に転移する。【００５６】  図３は、前記モードスイッチＳ１がＯＮ側の就寝又は着席ポジション時で、アナログ入力端子Ａ６がＨレベルのときの動作を示すタイムチャートである。【００５７】  体重検出器２ａが体重除去を検知して、アナログ入力端子Ａ５がＬレベルからＨレベルになった瞬間を起点Ｔ０として、Ｔ１秒後に０．２５秒間隔の間欠出力を出力端子Ｂ２に発生させ、図１及び図６に示す第２の発光ダイオードＤ２を点滅させ、前記モードスイッチＳ１をＯＦＦ側の離床又は離席ポジションに移動するよう促す。【００５８】  前記Ｔ１秒から更にＴ２秒経過すると、周波数２ＫＨＺ、通電間隔０．２５秒の間欠出力を出力端子Ｂ３に発生させ、該出力端子Ｂ３に接続されたスピーカＳＰよりピッピッというアラーム音を発生させる。【００５９】  前記Ｔ２秒から更にＴ３秒経過すると、出力端子Ｂ４にＴ４秒間、Ｈレベル出力を発生させ、後続のＦＥＴ、Ｑ１を導通させることにより、ナースコールシステムを駆動するに至る。【００６０】  前記Ｔ４秒経過と同時に、ＭＰＵ、３の内部でリセットパルスＲＳＴが生じるようになっており、自動的に上記シーケンスはリセットされ、起点Ｔ０からの動作と同一の動作を繰る返し実行する。【００６１】  また、アナログ入力端子Ａ５がＨレベルからＬレベルに反転し、報知手段が作動する条件が解除されたときは、直ちに起点Ｔ０以前の状態に転移する。【００６２】  図４は、本発明による体重検出器の一実施形態を示す外観図で、クッション性を有し、かつ水密性のある構造物に収納された体重検出器２ｂと、接続ケーブル６を示している。【００６１】  図５は、前記体重検出器２ｂの内部構造を示す図で、プリント基板５の上に複数のタクトスイッチＴＳと、バネ４を配設し、それらの上部に加圧板９を設置している。【００６２】  前記タクトスイッチＴＳは、各々並列に接続されており、その接点出力は接続ケーブル６を介し、図６に示すごとく装置本体１ｂのコネクタＪ３に可能となっている。【００６３】  加圧板に複数のタクトスイッチＴＳが接しているので、体重検出器２ｂの全域で、体重付加の有無が確認可能となっている。【００６４】  体重検出器２ｂは通常、要介護者の枕の下、あるいは背中部分に設置される。したがって枕や、掛け布団の自重で誤作動せず、体重の付加があって初めてタクトスイッチＴＳが作動するよう、複数のバネ４がプリント基板上に配設されている。【００６５】  図６は、本発明による離床及び離席報知装置の結線図で、装置本体１ｂのコネクタＪ１は、コネクタ付き接続ケーブル８を介し、壁面に設置されたナースコールコネクタに接続され、装置本体１ｂのコネクタＪ２には、押しボタンスイッチとマイクの内蔵されたハンドセット７が接続されている。【００６６】  また、装置本体１ｂのコネクタＪ３には、接続ケーブル６を介し、体重検出器２ｂの出力が印加されている���【００６７】  図７は、装置本体１ｂの裏面図で、使用頻度の低い時間設定用半固定抵抗器Ｒ１〜Ｒ４及びアラームスイッチＳ２を、ケース外に突出しないよう奥目に配置し、設定が誤って移動しないよう考慮している。【００６８】  図８は、図２及び図３に示すタイムチャートと併読することにより、本発明の実施形態をより理解するために記載した、離床及び離席報知装置のフローチャート図で、細部は煩雑になるので、省略している。【００６９】  以上詳記したとおり、本実施形態によれば誰にでも簡単に的確な操作ができ、要介護者や養護施設の特性に合致した性能を個別に設定可能なので、介護者の負担を軽減させると同時に介護サービスの質の向上を実現することが可能となるものである。
【図面の簡単な説明】
【００７０】
【図１】  本発明の実施形態を示す離床及び離席報知装置の電気的結線図
【図２】  同離床及び離席報知装置の離床又は離席ポジション時のタイムチャート
【図３】  同離床及び離席報知装置の就寝又は着席ポジション時のタイムチャート
【図４】  同体重検出器の外観図
【図５】  同体重検出器の内部構造図
【図６】  同離床及び離席報知装置のシステム結線図
【図７】  同離床及び離席報知装置の裏面図
【図８】  本発明の実施形態を示す離床及び離席報知装置のフローチャート図
【符号の説明】
【００７１】  １ａ        離床及び離席報知装置本体の回路図
１ｂ        離床及び離席報知装置本体の外観図
２ａ        体重検出器の回路図
２ｂ        体重検出器の外観図
３          ＭＰＵ（マイクロプロセッサ）
４          バネ
５          プリント基板
６          接続コード
７          押しボタン、マイク内蔵ハンドセット
８          コネクタ付き接続コード
９          加圧板
ＴＳ        タクトスイッチ
Ｓ１        モードスイッチ
Ｓ２        アラームスイッチ
Ｒ１〜Ｒ４  Ｔ１〜Ｔ４時間設定用半固定抵抗器
Ｄ１、Ｄ２  発光ダイオード
ＳＰ        スピーカ
Ｑ１        ＦＥＴ
【図１】
2007014725.tif 000003
【図２】
2007014725.tif 000004
【図３】
2007014725.tif 000005
【図４】
2007014725.tif 000006
【図５】
2007014725.tif 000007
【図６】
2007014725.tif 000008
【図７】
2007014725.tif 000009
【図８】
2007014725.tif 000010